(57)【要約】  遠位端及び近位端を有し、全体的に長手方向軸に沿って伸延する筆記用具であって、近位端に隣り合い且つ全体的に長手方向軸に沿って伸延する長孔を有するケーシングを、該ケーシングの近位端に配置したイレーサーと、ケーシングの遠位端に隣り合って該ケーシングに連結され、弁ドアを有する弁と、筆記用チップにして、該筆記用チップが弁内に格納される格納位置と、筆記用チップが弁から延出される筆記位置との間で可動の筆記用チップと、長孔内に配置され、該長孔内を摺動自在であるアクチュエータにして、アクチュエータが長孔内で移動すると筆記用チップが格納位置と筆記位置との間で移動するように筆記用チップに作動上連結したアクチュエーターとを含む筆記用具が提供される。
2008534331.tif 000002
【特許請求の範囲】
【請求項１】
遠位端及び近位端を有し、全体に長手方向軸に沿って伸延する筆記用具であって、
ケーシングにして、該ケーシングの近位端に隣り合い且つ全体的に長手方向軸に沿って伸延する長孔を有するケーシングと、
ケーシングの遠位端に配置したイレーサーと、
ケーシングに、該ケーシングの遠位端に隣り合って連結され、弁ドアを含む弁と、
筆記用チップにして、弁内に全体的に気密様式下に該筆記用チップが格納される格納位置と、筆記用チップが弁から延出する筆記位置との間で移動自在の筆記用チップと、
前記長孔内で該長孔に沿って摺動自在に配置され、長孔内を移動することにより筆記用チップを格納位置と筆記位置との間で移動させるように前記筆記用チップに作動上連結したアクチュエータと、
を含む筆記用具。
【請求項２】
ケーシングが、バレルと、ノーズと、プラグとを含み、ノーズがバレルの遠位端に取り付けられ、プラグ他バレルの近位端に取り付けられる請求項１の筆記用具。
【請求項３】
プラグが突起を含み、イレーサーが該突起に固着される請求項２の筆記用具。
【請求項４】
長孔がバレルに配置される請求項２の筆記用具。
【請求項５】
プラグが、バレルの内部を伸延し且つバレルの長孔と連係作用する長孔を含んでいる請求項４の筆記用具。
【請求項６】
ケーシング内に摺動自在に配置したリザーバホルダと、該リザーバホルダ内部のリザーバと、を更に含み、筆記用チップがリザーバに連結される請求項２の筆記用具。
【請求項７】
一組の歯を備え、リザーバホルダの近位端に配置したラチェットを更に含み、プラグが、遠位端に向けて伸延する一組のリブを含み、筆記用チップが筆記位置に有るとき、ラチェット歯がリブと係合する請求項６の筆記用具。
【請求項８】
筆記用具が格納位置にあるときはラチェット歯が各リブ間に配置される請求項７の筆記用具。
【請求項９】
ケーシング内に配置したプランジャを更に含み、プランジャにアクチュエータが作動上連結される請求項１の筆記用具。
【請求項１０】
アクチュエータが、長手方向軸を全体的に横断する係合表面を含む請求項１の筆記用具。
【請求項１１】
ケーシング内に摺動自在に配置したリザーバホルダと、弁ドアからリザーバホルダに作動上連結したストリングとを更に含み、露座ー刃ホルダが近位端に向けて移動されると、筆記用具が格納位置に位置付けられ且つストリングが弁ドアを引き寄せて閉じるようにした請求項１の筆記用具。
【請求項１２】
ケーシングがその近位端に突起を有し、該突起にイレーサーを固着した請求項１の筆記用具。
【請求項１３】
イレーサーが、オープンセルポリマー又はクローズドセルポリマー製のものである請求項１の筆記用具。
【請求項１４】
遠位端及び近位端を有し、全体的に長手方向軸に沿って伸延する筆記用具であって、
ケーシングにして、側壁と、該ケーシングの近位端に隣り合い且つ全体的に長手方向軸に沿って伸延する長孔と、前記近位端に近い内面に於ける複数のリブと、を有するケーシングと、
該ケーシングの遠位端に隣り合ってケーシングに連結され、弁ドアを含む弁と、
筆記用チップにして、該筆記用チップが弁内に格納される格納位置と、筆記用チップが弁から延出される筆記位置との間で可動の筆記用チップと、
ケーシング内に摺動自在に配置され前記筆記用チップを保持するリザーバホルダと、
リザーバホルダに廻動自在に配置され、ラチェット歯を含むラチェットと、
ケーシングの長孔内に配置され且つ該長孔内を摺動自在であり、長手方向軸の方向において係合自在の係合面を含むアクチュエーターと、
ケーシング内に摺動自在に配置され、アクチュエータに作動上連結されたプランジャと、
を含み、
プランジャとラチェットとが、前記アクチュエータが長手方向軸に沿って遠位端方向に移動すると、筆記用チップが、前記ラチェット歯が前記各リブ間に位置付けられる格納位置と、ラチェット歯が各リブの各端部に位置付けられる筆記位置との間で交互に移動するような構成とされる筆記用具。
【請求項１５】
ケーシングの近位端に配置したイレーサーを更に含む請求項１４の筆記用具。
【請求項１６】
ケーシングが、該ケーシングの近位端に突起を含み、イレーサーが該突起に固着される請求項１５の筆記用具。
【請求項１７】
イレーサーがオープンセルポリマーフォーム又はクローズとセルポリマーフォームから作製される請求項１５の筆記用具。
【請求項１８】
弁ドアとリザーバとを作動上連結するストリングを更に含み、リザーバホルダを近位端方向に移動させて筆記用具を格納位置とすると、ストリングが弁ドアを閉位置に引き寄せる請求項１４の筆記用具。
【請求項１９】
ケーシングがバレルと、ノーズと、プラグとを含み、ノーズが、バレルの遠位端に取り付けられ、プラグがバレルの近位端に取り付けられ、バレルが長孔を含む請求項１４の筆記用具。
【請求項２０】
遠位端及び近位端を有し、全体的に長手方向軸に沿って伸延する筆記用具であって、
ケーシングにして、側壁と、該ケーシングの近位端に隣り合い且つ全体的に長手方向軸沿いに前記側壁に沿って伸延する長孔とを有するケーシングと、
ケーシングの近位端に配置したイレーサーと、
ケーシングの遠位端に隣り合ってケーシングに連結され、弁ドアと、弁胴部と、内側通路とを含む弁と、
ケーシング内に配置され且つ実質的に長手方向軸に沿って摺動自在であり、リザーバを格納するリザーバホルダと、
リザーバに連結された筆記用チップにして、該筆記用チップが全体的に気密様式下に弁内に格納される格納位置と、筆記用チップが前記内側通路を貫いて弁胴部から延出される筆記位置との間でリザーバホルダと共に可動である筆記用チップと、
ケーシングの長孔内に配置され且つ長孔に沿って摺動自在のアクチュエータにして、該アクチュエータが長孔内で移動すると筆記用チップが格納位置と筆記位置との間を移動するように筆記用チップに作動上連結され、長手方向軸の方向において係合自在の係合面を有するアクチュエータと、
弁ドアをリザーバホルダに連結し、リザーバホルダが格納位置にあるときは弁ドアを閉位置に維持するストリングと、
を含む筆記用具。
【発明の詳細な説明】
【技術分野】
【０００１】
本発明は、一般に、イレーサー付きの格納式筆記用具に関する。
【背景技術】
【０００２】
伝統的な不滅マーカーやドライイレースマーカーは、その筆記用チップを覆う取り外し式のキャップを有しており、マーカーを使わないときはこのキャップを筆記用チップに被せてチップの乾燥を防ぐ。しかしながら、この設計のものでは使用中にキャップを失くすと筆記用チップにキャップを被せることができなくなってしまう。キャップがないとマーカーは直ぐに乾燥する。キャップは大抵はマーカー後端部に保持されるので、後端部へのイレーサー取り付けに支承を来すまたはイレーサーを取り付けられなくなる。またそうしたキャップは取り扱いがとても面倒でもある。
この問題に対処した設計の、最近その幾つかを入手できるようになったマーカーは、筆記用チップを筆記位置に貫通伸延させ、書き終えると格納位置に引き込ませるようにしたシールシステムを有している。例えば米国特許第５，９１５，８６７号を参照されたい。この米国特許のものではユーザーは、マーカーの、筆記用チップとは反対側の後方側部のアクチュエーターを使用して前記各位置間で筆記用チップを移動させる。筆記用チップは全体的に気密の画室に格納されるので乾燥しない。このようなシールシステムではキャップは不要であるが、マーカーの後端部にアクチュエーターがあるのでマーカー後端部にイレーサーを取り付けることはできない。
しかし、従来から、イレーサーを一体化したドライイレースマーカーや、一体化したイレーサーによって得られるであろう利益は考慮されたことがなかった。従って、格納式筆記用具にドライイレースインク用イレーサーを合体すれば好都合であると考えられる。
【０００３】
【特許文献１】米国特許第５９１５８６７号明細書
【発明の開示】
【発明が解決しようとする課題】
【０００４】
ドライイレースインク用のイレーサーを合体した格納式筆記用具を提供することである。
【発明を実施するための最良の形態】
【０００５】
図面、特に図１及び２を参照するに、長手方向軸Ａに沿って遠位端１２及び近位端１４を配置した筆記用具１０が示される。筆記用具１０は外側シェル又はケーシング１６を有し、ケーシング１６は、バレル２０にその遠位端１２の位置で取り付けたノーズ１８と、バレル２０にその近位端１４の位置で取り付けたプラグ２２とを含んでいる。バレル２０は全体的に人間工学的な輪郭を有し且つ側壁２１を有しており、緩衝性、快適性及び把持性を向上させるためのバレルグリップ２４をバレル２０を覆って配置することができる。バレルグリップ２４はＴＰＥ或いはその他の類似の材料から作製可能である。筆記用具１０の近位端１４の位置でプラグ２２にイレーサー２６が配置される。バレル２０は、このバレルを貫いて伸延し且つ長手方向軸Ａと実質的に平行に整列する長孔２８を含み、この長孔２８にアクチュエーター３０が摺動自在に配置される。バレル２０は全体的に円形断面を有するが、バレル２０はアクチュエーター３０が摺動する表面３２を含んでいる。この実施例では表面３２が、側壁２１に関して湾曲状態に凹んだ形状とされている。以下に詳しく説明するように、アクチュエーター３０は、筆記用具１０を、筆記用チップ３４がノーズ１８から延出する図２に示す筆記位置と、筆記用チップ３４が全体的に気密様式下にノーズ１８の内側に格納される格納位置との間で移動させるために使用され得る。
【０００６】
図３〜５を参照するに、マーカーを使わないとき、シールされたエンクロージャー内に筆記用チップを保持する弁３６がケーシング１６の遠位端１２の内側に固定配置されている。この実施例では弁３６はバレル２０の遠位端１２に固着される。バレル２０はその内面に溝３８を有し、弁３６はこの溝３８に座着する肩部４０を含む。弁３６をバレル２０に固定するために、ピン、接着材、それらの組み合わせ又はその他の如き構造を使用可能である。
弁３６は、弁胴部４２と、弁ドア４４と、筆記用チップ３４が延出し又は引き込まれる時に貫通移動することのできる内側通路４６とを含む。
弁ドア４４は、筆記用チップ３４が図４に示す格納位置にあるときは弁胴部４２の弁座４８に当接し、筆記用具１０を図３に示すような筆記位置とすると外側の開位置に回転し、ノーズ１８から筆記用チップ３４を延出させ得るようにする。弁ドア４４が閉位置にある時は弁３６が、筆記用チップ３４に湿り気が確実に維持されるようにするための実質的に気密のシールを提供する。弁ドア４４は、この弁ドア４４を開位置に偏倚するヒンジ５０の位置で弁胴部４２に取り付けられる。弁ドア４４は、筆記用具１０が筆記位置に移動されるに従い、筆記用チップ３４により開位置に押し出され得る。弁ドア４４は、この弁ドア４４に連結したストリング５２により閉位置に維持される。
【０００７】
筆記用チップ３４はインクを収納するリザーバ５４に連結される。インクは、リザーバ５４から筆記用チップ３４を介して流出し、筆記用具１０を使用するときに筆記用表面上に流動する。リザーバホルダ５６がリザーバ５４と筆記用チップ３４とを保持する。リザーバホルダ５６は、筆記用具３４を筆記位置と格納位置との間で摺動させるためにケーシング１６内を摺動自在である。リザーバホルダ５６は、リザーバ５４を保持するリザーバチャンバ５８と、筆記用チップ３４を保持するリザーバネック６０とを含む。リザーバチャンバ５８は、リザーバショルダー６８の位置でリザーバネック６０と合致する。
筆記用チップ３４が格納位置にあるとき、筆記用チップ３４は弁胴部４２内に収納される。筆記用チップ３４はその一端が内側通路４６内で弁ドア４４によって実質的にシールされ、その他端が、リザーバネック６０が内側通路４６と係合することによりシールされる。
【０００８】
リザーバショルダー６２に接触する状態でバネ座又はバネコレット６４が配置される。バネコレット６４はリザーバネック６０を間隔を置いて包囲する円筒形状とされ、弁バネ６８を支承させるバネフェース６６を含んでいる。前記円筒形状は、弁バネ６８の一端を包囲し、かくしてこの端部がバネコレット６４上に維持されることを保証する。弁バネ６８は、弁胴部４２の後面７０にも接触する。弁バネ６８はリザーバホルダ５６を弁３６から離す方向に偏倚させ、筆記用具１０を格納位置に向けて付勢する。
バネコレット６４の第１端にストリング５２が連結され、弁ドア４４の周囲にループ巻きされた後、バネコレット６４の第２端に連結される。筆記用具１０が格納位置にあってリザーバホルダ５６が弁３６から離間する状態に維持されているときはストリング５２は引張され、弁ドア４４を引き寄せて弁座４８にぴったりと接触させる。筆記用具１０が筆記位置とされ、リザーバホルダ５６が弁３６に向けて押されるとストリング５２が緩み、ヒンジ５０の偏倚力、筆記用チップ３４の力、ストリング５２、あるいはそれらの全てにより弁ドア４４が開放される。弁ドア４４を開放させる力の幾分かはストリング５２の圧縮剛性により提供され得る。
リザーバホルダ５６の近位端にリフィルキャップ７２が連結される。リフィルキャップはリザーバホルダ５６の近位端をシールする胴部７４を含み、その胴部７４から伸延してリザーバホルダ５６から離れるリフィルチューブ７６を有している。リフィルチューブ７６は、ソケット付き内面７８と、後方支承面８０とを有し、この実施例ではソケット付き内面７８は４つの突出部を有している。リフィルキャップ７２はリフィルチューブ７６から半径方向外側に伸延する一組のリフィルリブ８２をも含む。
【０００９】
図５及び６を参照するに、ラチェット８４が、リフィルチューブ７６を覆って挿通されるようになっている。従って、ラチェット８４は中央に穴８８を有する円形プレート８６と、外側円筒状表面９０とを有する。穴８８はリフィルチューブ７６を覆って挿通され、かくして円形プレート８６がリフィルリブ８２に支承されるような寸法形状のものとされる。ラチェット８４はリフィルキャップ７２に関して回転自在であり、円形プレート８６から上方に伸延する４つの一連のラチェット歯９２を含む。ラチェット歯９２は、円形プレート８６の外側円筒状表面９０に関して外側方向にも伸延する。４つのラチェット歯９２はラチェット８４の周囲に等間隔に配置され、４つのラチェットノッチ９４により分離される。各ラチェット歯９２は角度付けした第１支承面９６と、角度付けした第２支承面９８と、ピーク部１００と、谷部１０２とを含む。ラチェット８４は、今後認識されるように筆記用具１０を筆記位置と格納位置との間で移動させるために使用される。
【００１０】
図５及び図７を参照して説明するに、アクチュエータ３０とプランジャ１０４とが示され、プランジャ１０４が、胴部１０６と、胴部１０６から離間する方向に伸延する軸１０８とを有している。軸１０８は、リフィルキャップ７２の管７６に摺動自在に挿通し得る寸法形状とされ、リザーバホルダ５６がプランジャ１０４に関して回転し得ないよう、管７６の葉形の内部、即ちソケット付き内面７８に合致するべくキー溝加工される。胴部１０６からは、この胴部から離れてラチェット８４に向かう８本の一組の歯１１０が伸延される。各歯１１０はプランジャ１０４の周囲に等間隔に配置される。胴部１０６から半径方向外側に４本の一組のタブ１１２が伸延され、これらのタブもまた、胴部１０６の表面の周囲に等間隔に配置される。各タブ１１２の中間部分はプランジャの２つの歯１１０の間に整列され、各タブ１１２間の間隙１１４も、プランジャの２つの歯１１０の間に整列される。タブ１１２の一つは外側方向に伸延して、以下に説明するようにプラグ２２と係合する小突起１１６を有する。この小突起１１６と整列する受けチャンネル１１８が胴部１０６に配置される。
アクチュエータ３０は、アクチュエータ胴部１２０と、このアクチュエータ胴部１２０から離間する方向に伸延し、プランジャ１０４の受けチャンネル１１８内に挿通される寸法形状を有するアクチュエータタブ１２２とを有する。アクチュエータ３０は、長手方向軸線Ａを全体に横断する係合面１２４を有し、アクチュエータ胴部１２０は、ユーザーが長手方向軸線Ａと実質的に平行な通路に沿ってアクチュエータ３０を移動させ、筆記用具１０を以下に詳しく説明するように格納位置と筆記位置との間で移動させ得る寸法形状を有する。
図５に示されるように、プランジャの軸１０８を覆ってアクチュエータバネ１２６が配置され、その一端がリフィルキャップの管７６の後面８０に支承され、他端がプランジャ１０４に支承され、かくしてプランジャ１０４とアクチュエータ３０とをリザーバホルダ５６から遠ざける方向に偏倚させている。アクチュエータバネ１２６のバネ力は弁バネ６８よりも小さく、従って弁バネ６８はアクチュエータバネ１２６のバネ力に打ち勝ってリザーバホルダ５６を遠位端１２に向けて押し、かくして図３に示す如くアクチュエータバネ１２６を圧縮する。
【００１１】
図５，及び図８〜図１０を参照するに、プラグ２２の詳細が示されている。プラグ２２は、肩部１３０と、一組のリブ１３２とを具備するプラグ胴部１２８を有し、肩部１３０がバレル２０の後端に支承され、リブ１３２はバレル２０の図示しないリブに支承され、かくしてプラグ２２をバレル２０に関して固定状態に位置付けている。プラグ２２は、プラグ胴部１２８から離間する方向に伸延し、その遠位端に開放する長孔１３６を有するシリンダ１３４を有し、このシリンダ１３４の内側の内面上を４つの一連のリブ１３８が伸延している。各リブ１３８は、プラグ２２の周囲方向に等間隔に配置され、各々が角度付けした先端部１４０を有している。プランジャ１０４はプラグ２２の内部を軸方向に摺動し、アクチュエータタブ１２２と、プランジャ１０４の小突起１１６とはプラグ２２の長孔１３６の内部を摺動するので、プランジャ１０４とアクチュエーター３０とがプラグ２２に関して回転することはない。プランジャ１０４がプラグ３０内を摺動すると、プランジャ１０４の各間隙１１４がプラグ２２の各リブ１３８を覆って摺動する。プラグ２２は、プラグ胴部１２８の近位端１４位置に突起１４２を有する。
【００１２】
プラグ２２の近位端１４にイレーサー２６が締着される。本実施例ではイレーサー２６は突起１４２に接着される。選択したイレーサー２６を、斯界に既知の任意の接着材を用いてプラグ２２に接着させることができる。本実施例では筆記用具１０はドライイレースインクを使用するので、イレーサー２６は、そうしたドライイレースインクをドライイレース表示面から除去するために既知の、任意のオープンセルポリマーフォーム又はクローズドセルポリマーフォーム製のものであり得る。メカニカルペンシルのようなその他の用途ではイレーサー２６は芯用イレーサーとして既知のゴムその他の物質であり得る。イレーサー２６は、別の様式でプラグ２２又はケーシング１６に取り付けることができる。既知の如く、芯用イレーサーはペンシルの端部位置でその全体がフェルール内に収納される。メカニカルペンシルの場合、イレーサーはハウジング内に引き込み自在とされ得る。筆記用具に取付けるために知られているその他の方法或いは構造も本発明の範囲内のものとする。
【００１３】
図１１ａ〜図１１ｆを参照するに、ラチェット歯９２と、プランジャ歯１１０と、プラグのリブ１３８とが、筆記用具１０の内側から見た平面展開示図として示されている。図１１ａでは、ラチェット歯９２がプラグのリブ１３８の角度付けした先端部１４０上に配置され、ラチェット歯９２は弁バネ６８のバネ力によりプラグ２２のリブ１３８に押し付けられている。この状態ではラチェット８４は、筆記用チップ３４がケーシング１６から延出され、筆記用具１０が図４に示す筆記位置にある状態での遠位端１２を向いた位置に保持される。プランジャ１０４はアクチュエータバネ１２６のバネ力により近位端１４に押し戻されている。
筆記用具１０を格納位置に移動させるべく、ユーザーが、アクチュエータバネ１２６及び弁バネ６８の各バネ力に抗して遠位端１２の方向にアクチュエータ３０を押すと、プランジャ１０４が遠位端１２方向に軸線に沿って移動し、プランジャ歯１１０がラチェット歯９２の角度付けした第１支承面９６と係合する。プランジャ１０４が遠位端方向に引き続き移動すると、ラチェット８４がプラグ２２のリブ１３８との接触状態から完全に離れる。ラチェット８４が、各バネ力により一回転のおよそ１/１６の範囲で回転し、角度付けした第１支承面９６が、プランジャ歯１１０がラチェット歯９２のピーク部１００に接触して位置付けられる状態となるまで、プランジャ歯１１０を横断して上方に摺動する。この状態は図１１ｅに示される。
【００１４】
次いで、ユーザーがアクチュエータ３０を離すとプランジャ１０４が弁バネ６８のバネ力により近位端１４方向に摺動しつつ戻り、ラチェット８４が後方に摺動するに従い、角度付けした第２支承面９８がプラグ２２のリブ１３８の角度付けした先端部１４０と係合する。リブ１３８の角度付けした先端部１４０が、ラチェット歯９２をこの先端部１４０に沿って摺動させ且つ一回転のおよそ１/１６の範囲で回転させ、かくして各ラチェット歯９２をプラグの各リブ１３８間を摺動させる。リザーバホルダ５６が、ストリング５２が弁胴部４２の弁座４８に抗して弁ドア４４を引き寄せ、バネコレット６４が、リザーバホルダ５６がそれ以上動かないように拘束するよう弁３６から十分に遠くに移動するまで、弁バネ６８により近位端１４方向に押される。この状況は図１１ｄに示される。筆記用具１０は図１１ｄでは格納位置にある。
筆記用具１０を筆記位置に戻すためにユーザーがアクチュエータ３０を遠位端１２に向けて押すと、プランジャ１０４が前方に押されてプランジャ歯１１０がラチェット歯９２の角度付けした第１支承面９６と係合し、ラチェット８４を遠位端１２に向けて移動させる。ラチェット８４がプラグ２２のリブ１３８を超えて移動するとラチェット８４は、２つのバネ８４及び１２６によるバネ力によりプランジャ歯１１０がラチェット歯９２のピーク部１００に支承されるまでラチェット歯９２がプランジャ歯１１０に沿って摺動することにより、一回転のおよそ１/１６の範囲で回転される。この位置は図１１ｅに示される。
【００１５】
次いで、ユーザーがアクチュエータ３０を釈放してプランジャ１０４が２つのバネ８４及び１２６のバネ力により近位端１４に戻れるようにすると、プランジャ１０４が後方に移動してリブ１３８の角度付けした先端部１４０がラチェット８４の第１支承面９６と係合する。図１１ｆを参照されたい。プランジャ１０４が遠位端１２に戻るに従い、ラチェット８４は、ラチェット歯９２の谷部１０２がリブ１３８の角度付けした先端部１４０と係合するまで、一回転のおよそ１/１６の範囲で回転する。この位置は図１１ａに示される。
ここで説明した筆記用具の場合、ドライイレースマーカーは、筆記用チップを筆記用位置と、全体にシールされた格納位置との間で移動させるためのアクチュエータのみならず、一体化したイレーサーを組み込んだものとすることができる。そうした筆記用具は、キャップレスである他に、筆記用具の胴部にイレーサーをも含むという利益を有している。以上、本発明を実施例を参照して説明したが、本発明の内で種々の変更をなし得ることを理解されたい。
【図面の簡単な説明】
【００１６】
【図１】筆記用チップが格納位置にある場合の筆記用具の斜視図である。
【図２】筆記用チップが筆記位置にある場合の筆記用具の斜視図である。
【図３】図１を線III-IIIに沿って切断した断面図である。
【図４】図２を線IV-IVに沿って切断した断面図である。
【図５】図１の筆記用具の分解斜視図である。
【図６】図５の円VIの部分の部分拡大斜視図である。
【図７】図１の筆記用具に取り付けるプランジャー及びアクチュエーターの分解斜視図である。
【図８】図１の筆記用具に取り付けるプラグの斜視図である。
【図９】図８のプラグの端面図である。
【図１０】図９のプラグを線X-Xに沿って切断した断面図である。
【図１１ａ】筆記用具を格納位置と筆記位置との間で動かすときのプラグ、アクチュエーター、ラチェットの相互作用を示す詳細図である。
【図１１ｂ】筆記用具を格納位置と筆記位置との間で動かすときのプラグ、アクチュエーター、ラチェットの相互作用を示す詳細図である。
【図１１ｃ】筆記用具を格納位置と筆記位置との間で動かすときのプラグ、アクチュエーター、ラチェットの相互作用を示す詳細図である。
【図１１ｄ】筆記用具を格納位置と筆記位置との間で動かすときのプラグ、アクチュエーター、ラチェットの相互作用を示す詳細図である。
【図１１ｅ】筆記用具を格納位置と筆記位置との間で動かすときのプラグ、アクチュエーター、ラチェットの相互作用を示す詳細図である。
【図１１ｆ】筆記用具を格納位置と筆記位置との間で動かすときのプラグ、アクチュエーター、ラチェットの相互作用を示す詳細図である。
【符号の説明】
【００１７】
１０  筆記用具
１２  遠位端
１４  近位端
１６  ケーシング
１８  ノーズ
２０  バレル
２２  プラグ
２４  バレルグリップ
２８  長孔
３０  アクチュエーター
３２  表面
３４  筆記用チップ
３６  弁
３８  溝
４０  肩部
４２  弁胴部
４４  弁ドア
４６  内側通路
４８  弁座
５０  ヒンジ
５２  ストリング
５４  リザーバ
５６  リザーバホルダ
５８  リザーバチャンバ
６０  リザーバネック
６２  リザーバショルダー
６４  バネコレット
６６  バネフェース
６８  弁バネ
７０  後面
７２  リフィルキャップ
７４  胴部
７６  リフィルチューブ
７８  ソケット付き内面
８０  後方支承面
８２  リフィルリブ
８４  ラチェット
８６  円形プレート
８８  穴
９０  外側円筒状表面
９２  ラチェット歯
９４  ラチェットノッチ
９６  角度付けした第１支承面
９８  角度付けした第２支承面
１００  ピーク部
１０２  谷部
１０４  プランジャ
１０６  胴部
１０８  軸
１１０  歯
１１２  タブ
１１４  間隙
１１６  小突起
１１８  受けチャンネル
１２０  アクチュエータ胴部
１２２  アクチュエータタブ
１２４  係合面
１２６  アクチュエータバネ
１３６  長孔
１３８  リブ
１４０  角度付けした先端部
【図１】
2008534331.tif 000003
【図２】
2008534331.tif 000004
【図３】
2008534331.tif 000005
【図４】
2008534331.tif 000006
【図５】
2008534331.tif 000007
【図６】
2008534331.tif 000008
【図７】
2008534331.tif 000009
【図８】
2008534331.tif 000010
【図９】
2008534331.tif 000011
【図１０】
2008534331.tif 000012
【図１１ａ】
2008534331.tif 000013
【図１１ｂ】
2008534331.tif 000014
【図１１ｃ】
2008534331.tif 000015
【図１１ｄ】
2008534331.tif 000016
【図１１ｅ】
2008534331.tif 000017
【図１１ｆ】
2008534331.tif 000018
【国際調査報告】
2008534331.tif 000019
2008534331.tif 000020
2008534331.tif 000021